(57)【要約】      （修正有）【課題】弁体部によってパイプ本体の内孔の開閉を確実に行うことができ、しかも、風やほこり及び雨水の逆流防止を確実に行うことができ、更に、製造コストが低廉である外壁用水抜きパイプを提供する。【解決手段】中空部を有する外壁の横目地部に設けられ、中空部内の水を外壁の外側に排出するための外壁用水抜きパイプにおいて、パイプ本体３５と、パイプ本体３５の奥側位置にヒンジ部３９を介して揺動自在に設けられ、パイプ本体３５の内孔を開閉するための逆流防止機能を有する弁体部３７とを備え、弁体部３７は、パイプ本体３５の内孔に水が流入したときは、その水の流れる力によって開方向に揺動し、パイプ本体３５の内孔に水が流入していないときは、弁体部３７の自重又はヒンジ部３９の弾性力によって閉方向に揺動して閉位置で止まる構成。【選択図】図４
0003187389.tif 000002
【実用新案登録請求の範囲】
【請求項１】
中空部を有する外壁の横目地部に設けられ、前記中空部内の水を前記外壁の外側に排出するための外壁用水抜きパイプにおいて、
水を排水するためのパイプ本体と、
前記パイプ本体の内孔に設けられている弁体支持部と、
前記パイプ本体の水の出口部よりも奥側位置に配置され、ヒンジ部を介して揺動自在に前記弁体支持部に設けられ、前記パイプ本体の前記内孔を開閉するための逆流防止機能を有する弁体部とを備え、
前記弁体部は、前記パイプ本体の前記内孔に水が流入したときは、その水の流れる力によって開方向に揺動し、前記パイプ本体の前記内孔に水が流入していないときは、前記弁体部の自重又は前記ヒンジ部の弾性力によって閉方向に揺動して閉位置で止まる構成としたことを特徴とする外壁用水抜きパイプ。
【請求項２】
前記パイプ本体は、水の入口部が前記中空部側に向かって開口し、かつ、水の前記出口部が前記外壁の外側に向かって開口するように形成されていることを特徴とする請求項１に記載の外壁用水抜きパイプ。
【請求項３】
前記外壁用水抜きパイプの外表面の下面が平坦面として形成され、当該下面の当該外壁用水抜きパイプの太さ方向の寸法が、当該外壁用水抜きパイプの水平方向の略最大太さ寸法であることを特徴とする請求項１又は２に記載の外壁用水抜きパイプ。
【請求項４】
前記外壁用水抜きパイプの外周面の中心方向と直交する断面形状が略矩形を含む略多角形又は略半円形であることを特徴とする請求項３に記載の外壁用水抜きパイプ。
【請求項５】
前記弁体支持部は、前記パイプ本体の前記内孔に装着される筒状体であり、水の出口部が弁座として形成され、
前記弁体部は、前記ヒンジ部を介して揺動自在に前記弁座に設けられ、前記弁座に当接して閉方向の揺動が係止されて閉状態となり、
前記パイプ本体は、前記弁体部及び前記ヒンジ部を外側から覆うように形成され、更に、
全体が合成樹脂で形成されていることを特徴とする請求項１乃至４のいずれかに記載の外壁用水抜きパイプ。
【請求項６】
前記弁体部は、前記弁体支持部に前記ヒンジ部を介して揺動自在に複数設けられ、これら複数の前記弁体部は、それぞれの縁部が互いに当接して前記内孔を閉じるように形成されていることを特徴とする請求項１乃至４のいずれかに記載の外壁用水抜きパイプ。
【請求項７】
請求項１乃至６のいずれかに記載の外壁用水抜きパイプを複数備え、これら複数の外壁用水抜きパイプが、互いに平行した状態で横に並んで結合する構成としたことを特徴とする外壁用水抜きパイプ。
【請求項８】
縦方向に形成された中空部を有する外壁の横目地部に設けられ、前記中空部内の水を前記外壁の外側に排出するための水抜きパイプを備える外壁用排水構造において、
前記水抜きパイプは、請求項１乃至７のいずれかに記載の外壁用水抜きパイプであることを特徴とする外壁用排水構造。
【請求項９】
前記横目地部に沿って設けられ、前記横目地部の長さ方向に延びる形状であり、前記中空部内の水が前記外壁の内側に浸入することを防止する共に、当該水を前記水抜きパイプの入口部に導くための水切り材を更に備え、
前記水抜きパイプが、前記横目地部を貫通した状態で前記水切り材上に配置されていることを特徴とする請求項８に記載の外壁用排水構造。
【請求項１０】
前記水抜きパイプの前記出口部が、前記外壁又は前記横目地部の外表面と面一となっている構成であることを特徴とする請求項８又は９に記載の外壁用排水構造。
【考案の詳細な説明】
【技術分野】
【０００１】
本考案は、中空部を有する外壁の横目地部に設けられ、中空部内の水を外壁の外側に排出するための外壁用水抜きパイプ及び外壁用排水構造に関する。
【背景技術】
【０００２】
従来より、縦張りされた上下の中空パネルによって建物の外壁を形成することが行われており、この外壁の下端部に配置された中空パネルの下端面と基礎の上面との間に外壁用排水構造が設けられている。この外壁用排水構造は、外壁の中空部内に浸入した水をこの外壁の外側に排出するためのものであり、水抜きパイプを備えているものがある。
【０００３】
この水抜きパイプとして、外壁の下端の目地部に設けられ、排水口（先端部）が下方に向かって折り曲げられており、雨水が逆流することを防止するための逆流防止手段を設けた構成となっているものがある。
【０００４】
この水抜きパイプの一例として、特開平８−２７００８６号公報に開示されたものがある（特許文献１参照。）。この逆流防止手段は、水抜きパイプの先端部に設けられた逆すり鉢状の水切り材である。
【０００５】
この逆すり鉢状の水切り材である逆流防止手段によると、外部の雨水が水切り材に付着しても、その付着する雨水を水切り材がはじくことができ、これによって、外部の風圧によって雨水が水抜きパイプを逆流して外壁の中空部内に浸入することを防止しようとするものである。
【０００６】
また、上記水抜きパイプの他の例として、特開平１１−２１８２４３号公報に開示されたものがある（特許文献２参照。）。この逆流防止手段は、水抜きパイプの内部のボール収容室内にボール部材を配置して、このボール収容室の水の入口部と出口部にそれぞれ入口内径リングと出口内径リングを設けたものである。この入口内径リング及び出口内径リングの内径は、ボール部材の外径よりも小さく形成されている。
【０００７】
このボール部材を備える逆流防止手段によると、外壁の中空部内の水が水抜きパイプ内に流入したときは、その水流によって、ボール部材が出口内径リング側に移動してこの移動が出口内径リングによって係止されるが、水は、出口内径リングを乗り越えて水抜きパイプの出口から排出される。
【０００８】
そして、外部の風圧によって雨水が水抜きパイプの出口から流入したときは、その風圧によって、ボール部材が入口内径リング側に移動してこのボール部材によって入口内径リングの内孔が閉じられる。これによって、雨水が水抜きパイプを通って外壁の中空部内に流れ込む（逆流する）ことを防止することができる。
【先行技術文献】
【特許文献】
【０００９】
【特許文献１】特開平８−２７００８６号公報
【特許文献１】特開平１１−２１８２４３号公報
【考案の概要】
【考案が解決しようとする課題】
【００１０】
しかし、特開平８−２７００８６号公報の水抜きパイプに設けられた逆流防止手段では、水抜きパイプの先端部に逆すり鉢状の水切り材を設けたものであるため、水切り材に付着した雨水、及び外部の雨水が水抜きパイプを逆流して外壁の中空部内に浸入することがあり、雨水の逆流を完全に防止することはできないという問題がある。
【００１１】
そして、特開平１１−２１８２４３号公報の水抜きパイプに設けられた逆流防止手段では、ボール部材を、その外径よりも小さい内径の入口内径リングと出口内径リングとの間に形成されたボール収容室内に配置する必要があるので、逆流防止手段の部品点数が多くなり、複雑な構造となる。これによって、製造に手間が掛かり、製造コストが嵩むという問題点がある。
【００１２】
このように、逆流防止手段の部品点数が多くなるのは、出口内径リングを有する第１逆流防止パイプ、入口内径リングを有する第２逆流防止パイプ、及びボール部材を必要とするからである。逆流防止手段の製造の手間が嵩むのは、このように部品点数が多いので、それらを組み立てるのに要する手間が掛かるからである。
【００１３】
本考案は、上記のような課題を解決するためになされたものであり、弁体部によってパイプ本体の第１内孔の開閉を確実に行うことができ、しかも、風、ほこり、及び雨水の逆流防止を確実に行うことができ、更に、製造コストが低廉であると共に、製造の手間が少なくて済む外壁用水抜きパイプ及び外壁用排水構造を提供することを目的としている。
【課題を解決するための手段】
【００１４】
本考案に係る外壁用水抜きパイプは、中空部を有する外壁の横目地部に設けられ、前記中空部内の水を前記外壁の外側に排出するための外壁用水抜きパイプにおいて、水を排水するためのパイプ本体と、前記パイプ本体の内孔に設けられている弁体支持部と、前記パイプ本体の水の出口部よりも奥側位置に配置され、ヒンジ部を介して揺動自在に前記弁体支持部に設けられ、前記パイプ本体の前記内孔を開閉するための逆流防止機能を有する弁体部とを備え、前記弁体部は、前記パイプ本体の前記内孔に水が流入したときは、その水の流れる力によって開方向に揺動し、前記パイプ本体の前記内孔に水が流入していないときは、前記弁体部の自重又は前記ヒンジ部の弾性力によって閉方向に揺動して閉位置で止まる構成としたことを特徴とするものである。
【００１５】
この考案に係る外壁用水抜きパイプは、中空部を有する外壁の横目地部に設けられて使用される。この外壁用水抜きパイプによると、何らかの原因によって、雨水等の水が室外から外壁の中空部に浸入したときは、この浸入した水をパイプ本体内に通して外壁の外側に排出することができる。
【００１６】
つまり、弁体部は、パイプ本体の内孔に水が流入したときは、その水の流れる力によって開方向に揺動して水を排出することができる。そして、パイプ本体の内孔に水が流入していないときは、弁体部は、その自重又はヒンジ部の弾性力によって閉方向に揺動して閉位置で止まることができる。これによって、外壁の外側からの風、ほこり、及び雨水等がこの外壁用水抜きパイプを通って外壁の中空部内に流れ込む（逆流する）ことを防止することができる。
【００１７】
そして、弁体部は、パイプ本体の内孔の奥側位置に配置されているので、弁体部及びヒンジ部がパイプ本体によって覆われた状態となっており、これによって、外壁の外側からの風、ほこり、及び雨水等によって、弁体部の揺動が阻害されたり、弁体部に物が当たって破損することを防止することができる。
【００１８】
この考案に係る外壁用水抜きパイプにおいて、前記パイプ本体は、水の入口部が前記中空部側に向かって開口し、かつ、水の前記出口部が前記外壁の外側に向かって開口するように形成されているものとするとよい。
【００１９】
このようにすると、この外壁用水抜きパイプが簡単な構造でありながら、外壁の中空部内に浸入した水を、パイプ本体の入口部から流入させてパイプ本体の内孔及び出口部に通して外壁の外側に確実に排出することができる。
【００２０】
この考案に係る外壁用水抜きパイプにおいて、前記外壁用水抜きパイプの外表面の下面が平坦面として形成され、当該下面の当該外壁用水抜きパイプの太さ方向の寸法が、当該外壁用水抜きパイプの水平方向の略最大太さ寸法であるものとするとよい。
【００２１】
このように、外壁用水抜きパイプの外表面の下面を平坦面として形成することによって、この外壁用水抜きパイプを安定した状態で横目地の設置面に仮置きすることができる。これによって、この仮置きされた外壁用水抜きパイプに対してシーリング材を簡単に手際よく打設して横目地部を施工することができる。よって、外壁用水抜きパイプ及び横目地部の施工性の向上を図ることができる。
【００２２】
この考案に係る外壁用水抜きパイプにおいて、前記外壁用水抜きパイプの外周面の中心方向と直交する断面形状が略矩形を含む略多角形又は略半円形であるものとするとよい。
【００２３】
このようにすると、水抜きパイプの製造が簡単となり、剛性を高めることができる。
【００２４】
この考案に係る外壁用水抜きパイプにおいて、前記弁体支持部は、前記パイプ本体の前記内孔に装着される筒状体であり、水の出口部が弁座として形成され、前記弁体部は、前記ヒンジ部を介して揺動自在に前記弁座に設けられ、前記弁座に当接して閉方向の揺動が係止されて閉状態となり、前記パイプ本体は、前記弁体部及び前記ヒンジ部を外側から覆うように形成され、更に、全体が合成樹脂で形成されているものとするとよい。
【００２５】
このように、パイプ本体の内孔に装着される弁体支持部の弁座に、ヒンジ部を介して揺動自在に弁体部を設けることによって、この弁体部をパイプ本体の内孔の出口部よりも奥側位置にヒンジ部を介して揺動自在に設けた構成を実現することができる。
【００２６】
そして、弁座、ヒンジ部、及び弁体部を合成樹脂製とし、例えばこれらを一体に成形することによって、簡単な構造を採用して、上記のような構成を容易に実現することができる。
【００２７】
また、パイプ本体を合成樹脂製とすることによって、パイプ本体の外表面の色彩を外壁又は横目地部の外表面の色彩に合わせることが可能であり、これによって、外壁用水抜きパイプが、横目地部や外壁との関係で目立たないようにすることができ、外壁面の美観を損なわないようにすることができる。
【００２８】
この考案に係る外壁用水抜きパイプにおいて、前記弁体部は、前記弁体支持部に前記ヒンジ部を介して揺動自在に複数設けられ、これら複数の前記弁体部は、それぞれの縁部が互いに当接して前記内孔を閉じるように形成されているものとするとよい。
【００２９】
このようにすると、水の流量に応じて複数の弁体部のうちの１又は２以上の弁体部が揺動することができ、これによって、パイプ本体の内孔を開閉することができる。よって、パイプ本体の内孔に流入する水の量が比較的少ない量であっても、その水量に応じた数の弁体部が開いて水を排出することができ、外壁の中空部内に水を滞留させないようにすることができる。
【００３０】
そして、この複数の弁体部は、閉じた状態でそれぞれの縁部が互いに当接してパイプ本体の内孔を閉じるように形成されている。このように、複数の弁体部は、この閉位置から閉方向に揺動しないようになっており、逆流防止機能を発揮することができる。
【００３１】
この考案に係る外壁用水抜きパイプにおいて、本考案に係る外壁用水抜きパイプを複数備え、これら複数の外壁用水抜きパイプが、互いに平行した状態で横に並んで結合する構成としたものとするとよい。
【００３２】
このようにすると、要求される排水性能を満たす外壁用水抜きパイプを製造するときに、その要求される排水性能を満たすように、例えばそれよりも低い排水性能を有する外壁用水抜きパイプの必要とする数を決定して、この決定した数の外壁用水抜きパイプを結合させた外壁用水抜きパイプを製造することによって実現することができる。これによって、外壁用水抜きパイプの施工の簡単化、及び施工後の見栄えの向上を図ることができる。
【００３３】
本考案に係る外壁用排水構造は、縦方向に形成された中空部を有する外壁の横目地部に設けられ、前記中空部内の水を前記外壁の外側に排出するための水抜きパイプを備える外壁用排水構造において、前記水抜きパイプは、本考案に係る外壁用水抜きパイプであることを特徴とするものである。
【００３４】
本考案に係る外壁用排水構造によると、本考案に係る外壁用水抜きパイプを備えており、この外壁用水抜きパイプは、上記と同様の作用を奏することができる。
【００３５】
この考案に係る外壁用排水構造において、前記横目地部に沿って設けられ、前記横目地部の長さ方向に延びる形状であり、前記中空部内の水が前記外壁の内側に浸入することを防止する共に、当該水を前記水抜きパイプの入口部に導くための水切り材を更に備え、前記水抜きパイプが、前記横目地部を貫通した状態で前記水切り材上に配置されているものとするとよい。
【００３６】
このようにすると、何らかの原因によって、雨水等の水が室外から外壁の中空部に浸入したときは、この浸入した水が外壁の内側（室内側）に浸入することを水切り材によって防止する共に、この水切り材によって水を水抜きパイプの入口部に導くことができる。そして、この水切り材によって導かれた水を、水抜きパイプによって外壁の外側に排出することができる。
【００３７】
この考案に係る外壁用排水構造において、前記水抜きパイプの前記出口部が、前記外壁又は前記横目地部の外表面と面一となっている構成であるものとするとよい。
【００３８】
このようにすると、水抜きパイプの外側先端部である出口部（排水口）が外壁又は横目地部の外表面から突出していないので、水抜きパイプが、外壁や横目地部との関係で目立たないようにすることができ、外壁面の美観を損なわないようにすることができる。更に、水抜きパイプの出口部が外壁又は横目地部の外表面から突出していないので、水抜きパイプの出口部に物が当たって破損することを防止でき、この水抜きパイプの耐久性の向上を図ることができる。
【考案の効果】
【００３９】
この考案に係る外壁用水抜きパイプ及び外壁用排水構造によると、パイプ本体の内孔に設けられた弁体支持部にヒンジ部を介して揺動自在に弁体部を設けた構成としたので、弁体部によってパイプ本体の内孔の開閉を確実に行うことができ、しかも、風、ほこり、及び雨水の逆流防止を確実に行うことができ、更に、製造コストが低廉であると共に、製造の手間が少なくて済む外壁用水抜きパイプ及び外壁用排水構造を提供することができる。
【図面の簡単な説明】
【００４０】
【図１】この考案の第１実施形態に係る外壁用排水構造を示す縦断面図である。
【図２】図１の外壁用排水構造を示す部分切欠き斜視図である。
【図３】図１の外壁用排水構造に使用されている外壁用水抜きパイプの分解斜視図である。
【図４】図３に示す外壁用水抜きパイプを示す図であり、（ａ）は、（ｂ）に示す外壁用水抜きパイプをＢ−Ｂ方向から見た断面図、（ｂ）は、左側面図、（ｃ）は、右側面図、（ｄ）は、図４（ａ）に示す外壁用水抜きパイプをＡ−Ａ方向から見た断面図である。
【図５】図３に示す外壁用水抜きパイプの弁体支持部を示す図であり、（ａ）は、正面図、（ｂ）は、平面図、（ｃ）は、底面図、（ｄ）は、左側面図、（ｅ）は、右側面図、（ｆ）は、図５（ｂ）に示す弁体支持部をＣ−Ｃ方向から見た断面図である。
【図６】同考案の第２実施形態に係る外壁用水抜きパイプの分解斜視図である。
【図７】同考案の第３実施形態に係る外壁用水抜きパイプの弁体支持部を示す図であり、（ａ）は、正面図、（ｂ）は、平面図、（ｃ）は、底面図、（ｄ）は、左側面図、（ｅ）は、右側面図、（ｆ）は、図７（ｂ）に示す弁体支持部をＤ−Ｄ方向から見た断面図である。
【図８】同考案の第４実施形態に係る外壁用水抜きパイプの弁体支持部を示す図であり、（ａ）は、正面図、（ｂ）は、平面図、（ｃ）は、底面図、（ｄ）は、左側面図、（ｅ）は、右側面図、（ｆ）は、図８（ｂ）に示す弁体支持部をＥ−Ｅ方向から見た断面図である。
【図９】同考案の他の実施形態に係る外壁用水抜きパイプの弁体支持部を示す図であり、（ａ）は、正面図、（ｂ）は、平面図、（ｃ）は、底面図、（ｄ）は、左側面図、（ｅ）は、右側面図、（ｆ）は、図９（ｂ）に示す弁体支持部をＦ−Ｆ方向から見た断面図である。
【考案を実施するための形態】
【００４１】
以下、本考案に係る外壁用水抜きパイプ及び外壁用排水構造の第１実施形態を、図１〜図５を参照して説明する。図１に示すように、例えば縦張りされた上下の中空押出成形板１１で建物の外壁３０が形成され、この外壁３０の下端部に配置された中空押出成形板１１の下端面１１ｅと基礎２１の上面との間の横目地部１４に外壁用排水構造１３が設けられている。この外壁用排水構造１３は、外壁３０の中空部１１ａに浸入した水３１を横目地１２に設けられた水切り材１７によって受け止めて、この水切り材１７上の水３１を外壁用水抜きパイプ３２に通して外壁３０の外側に排出するものである。
【００４２】
この図１に示す外壁３０を形成する中空押出成形板１１は、例えば押出成形セメント板である。この中空押出成形板１１は、互いに間隔を隔てて平行して形成されている室外２０側の第１板状部１１ｂと室内１５側の第２板状部１１ｃとを有し、第１板状部１１ｂと第２板状部１１ｃとが互いに複数のリブ１１ｄを介して結合し、このリブ１１ｄとリブ１１ｄとの間に中空部１１ａが縦方向に形成されている。
【００４３】
そして、この中空押出成形板１１の取付け方向は、中空部１１ａの長さ方向が縦方向（鉛直方向）となるように、複数の中空押出成形板１１が建物の躯体（図示せず）及び基礎２１に取り付けられている（所謂、「縦張り」されている。）。
【００４４】
つまり、図１に示すように、建物の基礎２１の上面には、基礎アングル３３が設けられ、この基礎アングル３３の上面に、ピース状の複数のブラケット２２が互いに一定間隔を隔てて溶接固定されている。このブラケット２２には、断面Ｌ字形の左右に延在する下地材２３の一方の垂直片部２３ａが溶接固定されている。従って、下地材２３は、その他方の水平片部２３ｂが基礎アングル３３の上面と平行となって左右に延在する。
【００４５】
この下地材２３の垂直片部２３ａには、Ｚクリップ２４を介して中空押出成形板１１が取り付けられている。すなわち、中空押出成形板１１の中空部１１ａには、プレートナット２５が挿入され、中空押出成形板１１の背面には、Ｚクリップ２４の一端を貫通したボルト２６がプレートナット２５に螺合されている。中空押出成形板１１は、背面がパッキン２７等を介して下地材２３の垂直片部２３ａに当接されている。つまり、中空押出成形板１１は、背面と、この背面に固定されたＺクリップ２４とで垂直片部２３ａを挟持して下地材２３に取り付けられている。また、中空押出成形板１１は、下地材２３の水平片部２３ｂ（重量受け部）によってその下端が支持され、中空押出成形板１１の重量が受けられている。そして、この下地材２３の水平片部２３ｂは、基礎２１の上面に載置されて支持されている。
【００４６】
次に、図１及び図２を参照して水切り材１７を説明する。水切り材１７は、横目地部１４の長さ方向（水平方向）に延びる形状である。この水切り材１７は、例えば金属製の板状体を屈曲して形成されたものであり、垂直下部１７ａと、水平部１７ｂと、垂直上部１７ｃとを有している。
【００４７】
図１に示すように、垂直下部１７ａは、基礎２１の室外２０側の前面と対向して配置され、この垂直下部１７ａと基礎２１の前面との間の隙間は、シーリング材１８及びバックアップ材１９によって密封されている。
【００４８】
水平部１７ｂは、垂直下部１７ａの上縁部と結合し、下地材２３の水平片部２３ｂの上面に載置されている。そして、この水平部１７ｂの上面と最下部の中空押出成形板１１の下端面１１ｅとの間に、ピース状の複数のパッキン２８が互いに一定間隔を隔てて配置された状態で挟み込まれている。
【００４９】
そして、このパッキン２８が配置されている横目地１２には、室外２０側から順に横目地部（シーリング材）１４及びバックアップ材１６が設けられて密封されている。
【００５０】
垂直上部１７ｃは、水平部１７ｂの室内１５側縁部と結合し、中空押出成形板１１の室内１５側の背面に沿って上方向に延びる形状であり、この垂直上部１７ｃと中空押出成形板１１の背面との間にパッキン２７が設けられている。そして、垂直上部１７ｃがパッキン２７と下地材２３の垂直片部２３ａとの間に挟み込まれた状態で配置されている。
【００５１】
次に、図１及び図２を参照して外壁用水抜きパイプ３２について説明する。この外壁用水抜きパイプ３２は、横目地部１４と縦目地部３４とが交差する部分、及び縦目地部３４が交差していない横目地部１４のいずれの部分にも貫通した状態で設けることができるものである。
【００５２】
そして、この水抜きパイプ３２は、第１入口部３５ａが外壁３０の中空部１１ａ側に向かって開口し、かつ、第１出口部３５ｂが外壁３０の室外２０側に向かって開口するように設けられている。また、この水抜きパイプ３２は、図１に示すように、横目地部１４及びバックアップ材１６を貫通した状態で水切り材１７の水平部１７ｂ上に配置されている。そして、水抜きパイプ３２は、パッキン２８が設けられていない部分に設置することで、中空部１１ａを通り水切り材１７上に流入してきた水３１が水抜きパイプ３２の第１入口部３５ａに導かれるように構成されている。
【００５３】
この外壁用水抜きパイプ３２は、図３に示すように、パイプ本体３５、弁体支持部３６、及び弁体部３７を備えており、図４に示すように、この弁体支持部３６をパイプ本体３５内に装着した状態で使用されるものである。
【００５４】
パイプ本体３５は、図３及び図４に示すように、所定の長さに形成された四角筒状体であり、その内孔が内孔方向と平行する仕切り壁３５ｄによって２つに仕切られており、この２つの例えば同じ大きさの四角孔の第１内孔３５ｃが互いに平行して形成されている。これら２つの各第１内孔３５ｃの中空部１１ａ側に向かって開口する開口部が第１入口部３５ａとして形成され、外壁３０の外側に向かって開口する開口部が第１出口部３５ｂとして形成されている。
【００５５】
弁体支持部３６は、図３〜図５に示すように、パイプ本体３５の例えば約１／２の長さに形成された四角筒状体であり、同じ大きさ及び形状のものが２つ互いに平行して設けられている。この２つの各弁体支持部３６には、四角孔の第２内孔３６ｃが形成されている。これら２つの各第２内孔３６ｃの中空部１１ａ側に向かって開口する開口部が第２入口部３６ａとして形成され、外壁３０の外側に向かって開口する開口部が第２出口部３６ｂとして形成されている。
【００５６】
この第２出口部３６ｂの開口縁部は、弁座３６ｄとして形成されている。そして、この２つの各第２入口部３６ａには、パイプ本体３５が嵌合される嵌合部３８が設けられており、これら２つの嵌合部３８は、互いに結合している。これによって、２つの弁体支持部３６が互いに結合している。
【００５７】
そして、この嵌合部３８は、図３、図４（ａ）、図４（ｄ）に示すように、２つ並んで配置されている弁体支持部３６の上面、及び左右の各側面に沿って鍔状に形成されている。そしてこの嵌合部３８には、その全体に亘って嵌合溝３８ａが形成されている。この嵌合溝３８ａに対して、パイプ本体３５の２つの第１入口部３５ａを嵌合することによって、この嵌合部３８で互いに連結された２つの弁体支持部３６をパイプ本体３５の２つの各第１内孔３５ｃに装着することができる。
【００５８】
そして、図４（ｄ）に示すように、２つの弁体支持部３６をパイプ本体３５の２つの各第１内孔３５ｃに装着した状態で、２つの各弁体支持部３６の各上面、及びそれぞれの弁体支持部３６の左右の各側面がパイプ本体３５の２つの第１内孔３５ｃの内面に密着する状態となる。
【００５９】
また、図４（ｄ）に示す弁体部３７は、弁体支持部３６の第２出口部３６ｂ（弁座３６ｄ）の上縁部にヒンジ部３９を介して揺動自在に設けられている。この弁体部３７は、矩形の板状体であり、コ字状の弁座３６ｄ（第２出口部３６ｂの開口縁部）に当接して閉方向の揺動が係止されて閉状態となるように形成されている。これによって、弁体部３７は、逆流防止機能が付与されている。
【００６０】
更に、弁体支持部３６のコ字状の弁座３６ｄは、図４（ｄ）に示すように、第２出口部３６ｂの上縁部からパイプ本体３５の第１出口部３５ｂ側に向かうと共に下方に向かって直線状に延びており、約４５度の角度で傾斜する形状に形成されている。弁体部３７は、この傾斜するコ字状の弁座３６ｄ上に載置された状態で閉位置に保持されている。これによって、弁体部３７は、自重によって安定した状態で閉位置に保持され、風圧等の外力によって揺動することが抑制される。
【００６１】
また、弁体部３７は、弁体支持部３６の第２内孔３６ｃに水３１が流入したときは、その水３１の流れる力によって開方向に揺動し、弁体支持部３６の第２内孔３６ｃに水３１が流入していないときは、弁体部３７の自重又はヒンジ部３９の弾性力によって閉方向に揺動して閉位置で止まる構成となっている。
【００６２】
因みに、外壁用水抜きパイプ３２は、例えば全体が合成樹脂で形成されている。更に詳しく説明すると、例えばパイプ本体３５は、塩化ビニル製である。そして、弁体支持部３６、ヒンジ部３９、及び弁体部３７は、シリコーン、エチレン−プロピレン−ジエン共重合体（ＥＰＤＭ）、又はクロロプレン製である。
【００６３】
また、塩化ビニル製のパイプ本体３５は、横目地部１４又は外壁３０の外表面と同一の色彩に着色されている。
【００６４】
そして、上記のようにパイプ本体３５の第１内孔３５ｃに装着される弁体支持部３６の弁座３６ｄに、ヒンジ部３９を介して揺動自在に弁体部３７を設けることによって、この弁体部３７をパイプ本体３５の第１内孔３５ｃの第１出口部３５ｂよりも奥側位置にヒンジ部３９を介して揺動自在に設けた構成を実現することができる。
【００６５】
また、弁体支持部３６、ヒンジ部３９、及び弁体部３７を合成樹脂製とし、例えばこれらを一体に成形することによって、簡単な構造を採用して、上記のような構成を容易に実現することができる。
【００６６】
更に、パイプ本体３５を合成樹脂製とすることによって、パイプ本体３５の外表面の色彩を外壁３０又は横目地部１４の外表面の色彩に合わせることが可能であり、このように色彩を合わせることによって、外壁用水抜きパイプ３２が、外壁３０や横目地部１４との関係で目立たないようにすることができ、外壁面３０ａの美観を損なわないようにすることができる。
【００６７】
なお、外壁３０を含む建物の美観に合う色彩となるように、パイプ本体３５をステンレス等の金属製としてもよい。
【００６８】
次に、上記のように構成された外壁用水抜きパイプ３２及び外壁用排水構造１３の作用を説明する。図１及び図２に示すように、外壁用水抜きパイプ３２は、中空部１１ａを有する外壁３０の横目地部１４に設けられて使用される。この外壁用水抜きパイプ３２によると、何らかの原因によって、雨水等の水３１が室外２０から外壁３０の中空部１１ａに浸入したときは、この浸入した水３１をパイプ本体３５内に通して外壁３０の外側に排出することができる。
【００６９】
つまり、図４（ｄ）に示す弁体部３７は、パイプ本体３５の第１内孔３５ｃ（図４（ｄ）に示す弁体支持部３６の第２内孔３６ｃ）に水３１が流入したときは、その水３１の流れる力によって開方向に揺動して水３１を排出することができる。そして、パイプ本体３５の第１内孔３５ｃ（図４（ｄ）に示す弁体支持部３６の第２内孔３６ｃ）に水３１が流入していないときは、弁体部３７は、その自重又はヒンジ部３９の弾性力によって閉方向に揺動して閉位置で止まることができる。これによって、外壁３０の外側からの風、ほこり、及び雨水等がこの外壁用水抜きパイプ３２を通って外壁３０の中空部１１ａ内に流れ込む（逆流する）ことを防止することができる。
【００７０】
そして、弁体部３７は、パイプ本体３５の第１内孔３５ｃの奥側位置に配置されているので、弁体部３７及びヒンジ部３９がパイプ本体３５によって覆われた状態となっており、これによって、外壁３０の外側からの風、ほこり、及び雨水等によって、弁体部３７の揺動が阻害されたり、弁体部３７に物が当たって破損することを防止することができる。
【００７１】
よって、図１〜図４に示す外壁用水抜きパイプ３２及び外壁用排水構造１３によると、弁体部３７によって第１内孔３５ｃ（図４（ｄ）に示す弁体支持部３６の第２内孔３６ｃ）の開閉を確実に行うことができ、しかも、風、ほこり、及び雨水の逆流防止を確実に行うことができ、更に、製造コストが低廉であると共に、製造の手間が少なくて済む外壁用水抜きパイプ３２及び外壁用排水構造１３を提供することができる。
【００７２】
また、パイプ本体３５は、図１に示すように、第１入口部３５ａが中空部１１ａ側に向かって開口し、かつ、第１出口部３５ｂが外壁３０の外側に向かって開口するように構成されているので、この外壁用水抜きパイプ３２及び外壁用排水構造１３が簡単な構造でありながら、外壁３０の中空部１１ａ内に浸入した水３１を、パイプ本体３５の第１入口部３５ａから流入させてパイプ本体３５の第１内孔３５ｃ及び第１出口部３５ｂに通して外壁３０の外側に確実に排出することができる。
【００７３】
更に、図４（ｄ）に示すように、外壁用水抜きパイプ３２の外表面の下面３２ａが平坦面として形成され、当該下面３２ａの当該外壁用水抜きパイプ３２の太さ方向の寸法Ｗ（図４（ｂ）参照）が、当該外壁用水抜きパイプ３２の水平方向の略最大太さ寸法Ｗとなるように形成されている。
【００７４】
このように、外壁用水抜きパイプ３２の外表面の下面３２ａを平坦面として形成することによって、図１及び図２に示す外壁用水抜きパイプ３２を安定した状態で水切り材１７の水平部１７ｂ上に仮置きすることができる。これによって、この仮置きされた外壁用水抜きパイプ３２に対して横目地部（シーリング材）１４を簡単に手際よく打設して横目地部１４を施工することができる。よって、外壁用水抜きパイプ３２及び横目地部１４の施工性の向上を図ることができる。
【００７５】
そして、図３及び図４に示すように、外壁用水抜きパイプ３２は、その外周面の中心方向と直交する断面形状が略矩形となるように形成したことによって、水抜きパイプ３２の製造が簡単となり、剛性を高めることができる。
【００７６】
ただし、外壁用水抜きパイプ３２は、その外周面の中心方向と直交する断面形状を略矩形としたが、これ以外にも、下面３２ａを平坦な形状に形成した略多角形又は略半円形としてもよい。
【００７７】
また、図３に示すように、外壁用水抜きパイプ３２は、１つの第１内孔３５ｃを有するパイプ本体３５に対して１つの弁体支持部３６を装着した外壁用水抜きパイプを２つ備えるものと排水性能が同一である。従って、要求される排水性能を満たす外壁用水抜きパイプを製造するときに、その要求される排水性能を満たすように、例えばそれよりも低い排水性能を有する外壁用水抜きパイプの必要とする数を決定して、この決定した数の外壁用水抜きパイプを結合させた外壁用水抜きパイプを製造することによって実現することができる。これによって、外壁用水抜きパイプの施工の簡単化、及び施工後の見栄えの向上を図ることができる。
【００７８】
更に、図１に示す水切り材１７は、外壁３０の中空部１１ａ内の水３１が外壁３０の内側に浸入することを防止する共に、当該水３１を水抜きパイプ３２の第２入口部３６ａに導くように構成されている。
【００７９】
このように構成することによって、何らかの原因によって、雨水等の水３１が室外２０から外壁３０の中空部１１ａに浸入したときは、この浸入した水３１が外壁３０の内側（室内１５側）に浸入することを水切り材１７によって防止する共に、この水切り材１７によって水３１を水抜きパイプ３２の第２入口部３６ａに導くことができる。そして、この水切り材１７によって導かれた水３１を、水抜きパイプ３２によって外壁３０の外側に排出することができる。
【００８０】
次に、本発明に係る外壁用水抜きパイプ及び外壁用排水構造の第２実施形態を、図６を参照して説明する。この第２実施形態の外壁用水抜きパイプ４１と、図３に示す第１実施形態の外壁用水抜きパイプ３２とが相違するところは、図３に示す第１実施形態は、２つの弁体支持部３６をパイプ本体３５の２つの各第１内孔３５ｃに装着した構成としたのに対して、第２実施形態では、図６に示す１つの弁体支持部３６を、１つの第１内孔３５ｃを有するパイプ本体に装着した構成としたところである。
【００８１】
この図６に示す１つの弁体支持部３６を有する第２実施形態の外壁用水抜きパイプ４１の排水性能は、図３に示す外壁用水抜きパイプ３２の排水性能の約１／２である。これ以外は、図３に示す第１実施形態の外壁用水抜きパイプ３２と同等の構成であり同様に作用するので、同等部分を同一の図面符号で示し、それらの説明を省略する。
【００８２】
ただし、上記第１及び第２実施形態では、１つ又は２つの弁体支持部３６をパイプ本体３５の１つ又は２つの第１内孔３５ｃに装着した構成としたが、これに代えて、２以外の複数の弁体支持部３６をパイプ本体３５の２以外の複数の各第１内孔３５ｃに装着した構成としてもよい。
【００８３】
次に、本発明に係る外壁用水抜きパイプ及び外壁用排水構造の第３実施形態を、図７を参照して説明する。ただし、図７は、第３実施形態の外壁用水抜きパイプが備えている２つの弁体支持部３６等を示している。つまり、第３実施形態の外壁用水抜きパイプが備えているパイプ本体は、図３に示す第１実施形態の外壁用水抜きパイプ３２のパイプ本体３５と同等のものであるので図示していない。
【００８４】
この第３実施形態の外壁用水抜きパイプと、図３に示す第１実施形態の外壁用水抜きパイプ３２とが相違するところは、図３に示す第１実施形態は、２つの各弁体支持部３６の弁座３６ｄに形成された弁孔（第２出口部３６ｂ）を１つの弁体部３７によって開閉する構成としたのに対して、図７に示す第３実施形態は、２つの各弁体支持部３６の弁座３６ｄに形成された弁孔（第２出口部３６ｂ）を４つの弁体部４２によって開閉する構成としたところである。
【００８５】
これ以外は、図３に示す第１実施形態の外壁用水抜きパイプ３２と同等の構成であり同様に作用するので、同等部分を同一の図面符号で示し、それらの説明を省略する。
【００８６】
この図７に示す第３実施形態の外壁用水抜きパイプの４つの弁体部４２は、三角形の板状体で形成され、２つの各第２出口部３６ｂに４つの各ヒンジ部３９を介して揺動自在に設けられている。そして、これら４つの弁体部４２は、それぞれの２つの傾斜縁部４２ａが互いに当接して弁孔を閉じるように形成されている。
【００８７】
この図７に示す外壁用水抜きパイプによると、水３１の流量に応じて４つの弁体部４２のうちの１又は２以上の弁体部４２が揺動することができ、これによって、弁体支持部３６の弁孔を開閉することができる。よって、弁体支持部３６の第２内孔３６ｃに流入する水３１の量が比較的少ない量であっても、その水量に応じた数の弁体部４２が開いて水３１を排出することができ、外壁３０の中空部１１ａ内に水３１を滞留させないようにすることができる。
【００８８】
そして、この４つの弁体部４２は、閉じた状態で略四角錐の形状となり、それぞれの２つの傾斜縁部４２ａが互いに当接して弁孔を閉じるように形成されている。このようにして、４つの弁体部４２は、この閉位置から閉方向に揺動しないようになっており、逆流防止機能を発揮することができる。
【００８９】
次に、本発明に係る外壁用水抜きパイプ及び外壁用排水構造の第４実施形態を、図８を参照して説明する。ただし、図８は、第４実施形態の外壁用水抜きパイプが備えている１つの弁体支持部３６等を示している。つまり、第４実施形態の外壁用水抜きパイプが備えているパイプ本体は、図６に示す第２実施形態の外壁用水抜きパイプ４１のパイプ本体３５と同等であるので図示していない。
【００９０】
この１つの弁体支持部３６等を有する第４実施形態の外壁用水抜きパイプと、図７に示す２つの弁体支持部３６等を有する第３実施形態の外壁用水抜きパイプとが相違するところは、図７に示す第３実施形態は、２つの弁体支持部３６をパイプ本体３５の２つの各第１内孔３５ｃに装着した構成としたのに対して、第４実施形態では、図８に示す１つの弁体支持部３６を、１つの第１内孔３５ｃを有するパイプ本体に装着した構成としたところである。
【００９１】
この図８に示す１つの弁体支持部３６を有する第４実施形態の外壁用水抜きパイプの排水性能は、図７に示す２つの弁体支持部３６を有する第３実施形態の外壁用水抜きパイプの排水性能の約１／２である。これ以外は、図７に示す２つの弁体支持部３６を有する第３実施形態の外壁用水抜きパイプと同等の構成であり同様に作用するので、同等部分を同一の図面符号で示し、それらの説明を省略する。
【００９２】
ただし、上記各実施形態では、図１に示すように、水抜きパイプ３２の外側先端部である第１出口部３５ｂ（排水口）が外壁３０及び横目地部１４の外表面から突出する構成としたが、これに代えて、水抜きパイプの外側先端部である第１出口部３５ｂが、外壁３０又は横目地部１４の外表面と面一となっている構成としてもよい。
【００９３】
このようにすると、水抜きパイプの外側先端部である第１出口部３５ｂ（排水口）が外壁３０又は横目地部１４の外表面から突出していないので、水抜きパイプが、外壁３０や横目地部１４との関係で目立たないようにすることができ、外壁面３０ａの美観を損なわないようにすることができる。更に、水抜きパイプの第１出口部３５ｂが外壁３０又は横目地部１４の外表面から突出していないので、水抜きパイプの第１出口部３５ｂに物が当たって破損することを防止でき、この水抜きパイプの耐久性の向上を図ることができる。
【００９４】
なお、上記実施形態では、水抜きパイプ３２、４１を外壁３０の下端部と基礎２１との間に設けた例を挙げて説明したが、これに拘わらず、縦張りの外壁３０の下端部よりも上方に設けられている横目地部１４に対して水切り材１７を設け、この水切り材１７上に水抜きパイプ３２、４１を設置しても良い。また、外壁３０と、例えば窓を形成するサッシとの間に設けられている横目地部に対して水抜きパイプ３２、４１を設置しても良い。
【００９５】
そして、上記各実施形態では、例えば図４（ｄ）に示すように、弁体支持部３６に設けられている嵌合部３８の上縁部が全体として連なる形状としたが、これに代えて、図９（ｆ）、並びに、図９（ａ）〜（ｅ）に示すように、嵌合部３８の上縁部に切欠き部４４を設けるとよい。この切欠き部４４は、当該上縁部の上面と、第２入口部３６ａの内面とを互いに連通するように溝状に形成されている。
【００９６】
この図９（ｆ）に示す切欠き部４４は、外壁３０の中空部１１ａ内を流下してくる水３１を第２入口部３６ａに導いて排水し易くするためのものである。従って、切欠き部４４は、１又は２以上の各第２入口部３６ａごとに設けるとよい。
【産業上の利用可能性】
【００９７】
以上のように、本考案に係る外壁用水抜きパイプ及び外壁用排水構造は、弁体部によってパイプ本体の内孔の開閉を確実に行うことができ、しかも、風、ほこり、及び雨水の逆流防止を確実に行うことができ、更に、製造コストが低廉であると共に、製造の手間が少なくて済む優れた効果を有し、このような外壁用水抜きパイプ及び外壁用排水構造に適用するのに適している。
【符号の説明】
【００９８】
１１  中空押出成形板
１１ａ  中空部
１１ｂ  第１板状部
１１ｃ  第２板状部
１１ｄ  リブ
１１ｅ  下端面
１２  横目地
１３  外壁用排水構造
１４  横目地部（シーリング材）
１５  室内
１６  バックアップ材
１７  水切り材
１７ａ  垂直下部
１７ｂ  水平部
１７ｃ  垂直上部
１８  シーリング材
１９  バックアップ材
２０  室外
２１  基礎
２２  ブラケット
２３  下地材
２３ａ  垂直片部
２３ｂ  水平片部
２４  Ｚクリップ
２５  プレートナット
２６  ボルト
２７、２８  パッキン
３０  外壁
３０ａ  外壁面
３１  水
３２  外壁用水抜きパイプ
３２ａ  下面
３３  基礎アングル
３４  縦目地部
３５  パイプ本体
３５ａ  第１入口部
３５ｂ  第１出口部
３５ｃ  第１内孔
３５ｄ  仕切り壁
３６  弁体支持部
３６ａ  第２入口部
３６ｂ  第２出口部
３６ｃ  第２内孔
３６ｄ  弁座
３７  弁体部
３８  嵌合部
３８ａ  嵌合溝
３９  ヒンジ部
４１  外壁用水抜きパイプ
４２  弁体部
４２ａ  傾斜縁部
４４  切欠き部
【図１】
0003187389.tif 000003
【図２】
0003187389.tif 000004
【図３】
0003187389.tif 000005
【図４】
0003187389.tif 000006
【図５】
0003187389.tif 000007
【図６】
0003187389.tif 000008
【図７】
0003187389.tif 000009
【図８】
0003187389.tif 000010
【図９】
0003187389.tif 000011